(57)【要約】【課題】塗料の未塗着塗料を循環水中で分散、凝集させ、効率的に回収して除去する塗装ブース循環水連続浄化方法を提供する。【解決手段】循環水槽３から湿式塗装ブース２に循環水９を供給し、未塗着塗料を捕集して循環水槽３に返送する第１循環水経路１０に、循環水９に不粘着化処理剤と分散処理剤とを添加して不粘着化した未塗着塗料を分散させる第１循環水処理剤供給手段１１を有し、循環水９を循環水槽３から塗装循環水処理装置８に供給し、分離された清澄水１６を循環水槽３に返送する第２循環水経路２０に、循環水９に粉末凝集処理剤と液体高分子凝集剤とを添加して塗料スラッジ２６を形成させる第２循環水処理剤供給手段１５と、循環水９をスクリーンフィルタ２３により清澄水１６と塗料スラッジ２６とに分離させる循環水分離手段１７とを有する。【選択図】図１
2011218257.tif 000002
【特許請求の範囲】
【請求項１】
循環水槽から塗装を用いた湿式塗装ブースに循環水を供給し、未塗着塗料を循環水により捕集して循環水槽に返送する第１の循環水経路において、
循環水に不粘着化処理剤と分散処理剤とを添加して循環水に含まれる不粘着化した未塗着塗料を分散させる第１の循環水処理剤供給手段を有し、
循環水を循環水槽から塗装循環水処理装置に供給し、分離された清澄水を循環水として循環水槽に連続的に返送する第２の循環水経路において、
循環水に粉末の凝集処理剤と液体の高分子凝集剤とを添加して塗料のスラッジを形成させる第２の循環水処理剤供給手段と、
第２の循環水処理剤供給手段により塗料のスラッジが形成された循環水をスクリーンフィルタにより清澄水と塗料スラッジとに分離させる循環水分離手段とを有する、
ことを特徴とする油性塗装ブース循環水連続浄化方法。
【請求項２】
請求項１に記載の塗装ブース循環水連続浄化方法であって、不粘着化処理剤は、メラミンホルムアルデヒド縮合物であり、分散処理剤は、ベントナイト系鉱物であることを特徴とする塗装ブース循環水連続浄化方法。
【請求項３】
請求項１又は２に記載の塗装ブース循環水連続浄化方法であって、粉末の凝集処理剤には珪藻土含有処理剤、硫酸アルミニウム含有処理剤、硫酸カルシウム含有処理剤、アルギン酸含有処理剤、炭酸カルシウム含有処理剤のうちのいずれかであり、液体の凝集剤にはポリアクリルアミド系凝集剤、ポリアクリル酸エステル系凝集剤、ポリメタクリル酸エステル系凝集剤のいずれかであることを特徴とする塗装ブース循環水連続浄化方法。
【請求項４】
請求項１乃至３のいずれか１に記載の塗装ブース循環水連続浄化方法であって、塗装循環水処理装置において粉末の凝集処理剤と液体の高分子凝集剤とは、それぞれ撹拌されている循環水に添加されることを特徴とする塗装ブース循環水連続浄化方法。
【請求項５】
請求項１乃至４のいずれか１に記載の塗装ブース循環水連続浄化方法であって、スクリーンフィルタは、そのフィルタ面が高圧水で洗浄処理されることを特徴とする塗装ブース循環水連続浄化方法。
【請求項６】
請求項１乃至５のいずれか１に記載の油性塗装ブース循環水連続浄化方法であって、塗装循環水処理装置のスクリーンフィルタにより分離されたスラッジはバケットにより回収されることを特徴とする塗装ブース循環水連続浄化方法。
【発明の詳細な説明】
【技術分野】
【０００１】
本発明は、塗装ブース循環水連続浄化方法に係り、特に、循環水槽から油性塗装による湿式塗装ブースに供給され、未塗着油性塗料を捕集して循環水槽に返送する循環水を浄化する塗装ブース循環水連続浄化方法に関する。
【背景技術】
【０００２】
例えば、自動車などの工業製造の製造過程においては、湿式塗装ブースにおいて油性塗料により塗装が行われる場合がある。この場合には、被塗装物である自動車の車体などに塗布される塗料の塗着効率は６０％〜７０％程度であり、３０％〜４０％は未塗着塗料（オーバースプレイペイント：ＯＳＰ）となるといわれている。この未塗着塗料は、塗装の付着性能を上げるため粘着性が高く、飛散や滴下した未塗着塗料が湿式塗装ブースの各部分や配管などに付着してしまう。また、油性塗料ブース循環水槽において水性塗料循環水も同時に処理する例もある。このため、油性塗料や水性塗料を使用した湿式塗装ブースでは、循環水により未塗着塗料を捕集する対策が採用されている。
【０００３】
図３に、従来の塗装ブース循環水連続浄化方法の実施形態である塗装ブース循環水浄化装置の概略構成を示す。従来の塗装ブース循環水浄化装置３０は、湿式塗装ブース３２、循環水槽３３、処理水収容管路３４、不粘着化処理剤供給タンク３５、循環ポンプ３６、及び循環水供給管路３７から構成される。湿式塗装ブース３２での塗装により生じた未塗装塗料は、循環水３９により捕集され図中の矢印に沿って流れ、処理水収容管路３４を介して循環水槽３３に返送される。循環水槽３３では不粘着化処理剤供給タンク３５から不粘着化処理剤が添加されて未塗装塗料の粘着性が低減される。また、循環水槽３３で不粘着化された未塗装塗料は、塗料スラッジ（塗装粕）３８として循環水槽３３に溜められて廃棄される。塗料スラッジ３８が取り除かれた循環水槽３３内の循環水３９は、循環ポンプ３６により循環水供給管路３７を介して湿式塗装ブース３２に供給される。
【０００４】
一方、特許文献１には、湿式塗装ブース循環水系の処理方法が開示されている。ここでは、循環水槽から湿式塗装ブースに送水し、該循環水槽に返送する第１の循環水系にセピオライトを添加し、循環水槽から固液分離装置に送水し、分離水を該循環水槽に返送する第２の循環水系にセピオライト、ポリビニルアルコール及びメラミンホルムアルデヒド縮合物の酸コロイドよりなる群から選ばれる１種又は２種以上の塗料の凝集吸着剤を添加し、第１の循環水系及び第２の循環水系の両循環水系内で塗料を効果的に不粘着化し、第１の循環水系における配管等の閉塞等を防止して水洗効率を高く維持し、第２の循環水系の遠心分離機における塗料スラッジの固液分離効率、塗料スラッジの回収効率を高めることが記載されている。
【先行技術文献】
【特許文献】
【０００５】
【特許文献１】特開２００１−１７０５２８号公報
【発明の概要】
【発明が解決しようとする課題】
【０００６】
従来の油性塗料や水性塗料を使用した湿式塗装ブースでは、油性塗料の粘着性を低下させるために塗料の不粘着化剤が使用されているが、未塗着塗料の不粘着化が十分ではないため、塗料スラッジが再循環し、湿式塗装ブース内での循環水の流れを妨げるという問題、及び水性塗料によるＣＯＤ値などの水質の悪化という問題がある。また、未塗着塗料を除去するために湿式塗装ブースや配管の清掃、循環水の定期的な保全作業を行わなければならない場合がある。
【０００７】
また、特許文献１に記載された湿式塗装ブース循環水系の処理方法では、第１の循環水系及び第２の循環水系での塗料の不粘着化が十分ではなく、第２の循環水系の遠心分離機における塗料スラッジの固液分離効率が十分でないという問題がある。
【０００８】
本願の目的は、かかる課題を解決し、塗料の未塗着塗料を循環水中で分散、凝集させ、効率的に回収して除去する塗装ブース循環水連続浄化方法を提供することである。
【課題を解決するための手段】
【０００９】
上記目的を達成するため、本発明に係る塗装ブース循環水連続浄化方法は、循環水槽から塗装を用いた湿式塗装ブースに循環水を供給し、未塗着塗料を循環水により捕集して循環水槽に返送する第１の循環水経路において、循環水に不粘着化処理剤と分散処理剤とを添加して循環水に含まれる不粘着化した未塗着塗料を分散させる第１の循環水処理剤供給手段を有し、循環水を循環水槽から塗装循環水処理装置に供給し、分離された清澄水を循環水として循環水槽に連続的に返送する第２の循環水経路において、循環水に粉末の凝集処理剤と液体の高分子凝集剤とを添加して塗料のスラッジを形成させる第２の循環水処理剤供給手段と、第２の循環水処理剤供給手段により塗料のスラッジが形成された循環水をスクリーンフィルタにより清澄水と塗料スラッジとに分離させる循環水分離手段とを有する、ことを特徴とする。
【００１０】
上記構成により、粘着性の高い油性塗料の油性塗装ブース循環水連続浄化方法は、湿式塗装ブースから循環水槽に返送される循環水に対し、不粘着化処理剤に加えて分散処理剤を添加し、不粘着化した未塗着塗料を循環水中に分散させる。この未塗着塗料を循環水中分散させて油成分を水に馴染ませることにより、第１の循環水経路及び第２の循環水経路において循環水を効率的に供給及び返送することができる。また、油性塗料及び水性塗料は、分散されて水中に溶解された循環水の一部を塗装循環水処理装置に供給し、粉末の凝集処理剤と液体の高分子凝集剤とを添加して油性塗料のスラッジを形成させる。このように２種類の凝集剤を添加させることで効率的に塗料のスラッジを形成させることができる。そして、凝集処理された塗料のスラッジを含む循環水をスクリーンフィルタにより水と塗料スラッジとに分離し、塗料の未塗着塗料を効率的に回収して除去することができる。
【００１１】
また、塗装ブース循環水連続浄化方法は、不粘着化処理剤がメラミンホルムアルデヒド縮合物であり、分散処理剤がベントナイト系鉱物であることが好ましい。
【００１２】
また、塗装ブース循環水連続浄化方法は、粉末の凝集処理剤には珪藻土含有処理剤、硫酸アルミニウム含有処理剤、硫酸カルシウム含有処理剤、アルギン酸含有処理剤、炭酸カルシウム含有処理剤のうちのいずれかであり、液体の凝集剤にはポリアクリルアミド系凝集剤、ポリアクリル酸エステル系凝集剤、ポリメタクリル酸エステル系凝集剤のいずれかであることが好ましい。
【００１３】
また、塗装ブース循環水連続浄化方法は、塗装循環水処理装置において粉末の凝集処理剤と液体の高分子凝集剤とが、それぞれ撹拌されている循環水に添加されることが好ましい。これにより、塗装循環水に対して粉末の凝集処理剤と液体の高分子凝集剤とを効率的に添加することができる。
【００１４】
また、塗装ブース循環水連続浄化方法は、スクリーンフィルタは、そのフィルタ面が高圧水で洗浄処理されることが好ましい。これにより、スクリーンフィルタの面を簡易に補修することができる。
【００１５】
さらに、塗装ブース循環水連続浄化方法は，塗装循環水処理装置のスクリーンフィルタにより分離されたスラッジはバケットにより回収されることが好ましい。これにより、塗料の未塗着塗料を効率的に回収して除去することができる。
【発明の効果】
【００１６】
以上のように、本発明に係る塗装ブース循環水連続浄化方法によれば、塗料の未塗着塗料を循環水中で分散、凝集させ、効率的に回収して除去する塗装ブース循環水連続浄化方法を提供することができる。
【図面の簡単な説明】
【００１７】
【図１】本発明に係る塗装ブース循環水連続浄化方法の１つの実施形態である塗装ブース循環水連続浄化装置の概略構成を示す説明図である。
【図２】塗装循環水処理装置の構成を示す説明図である。
【図３】従来の塗装ブース循環水連続浄化方法の実施形態である塗装ブース循環水浄化装置の概略構成を示す説明図である。
【発明を実施するための形態】
【００１８】
以下に、図面を用いて本発明に係る塗装ブース循環水連続浄化方法の実施形態につき、詳細に説明する。図１に、塗装ブース循環水連続浄化方法の１つの実施形態である塗装ブース循環水連続浄化装置１の概略構成を示す。
【００１９】
塗装ブース循環水連続浄化方法は、図１の塗装ブース循環水連続浄化装置１に示すように、循環水槽３から塗装を用いた湿式塗装ブース２に循環水９を供給し、未塗着塗料を循環水９により捕集して循環水槽３に返送する第１循環水経路１０、及び循環水９を循環水槽３から塗装循環水処理装置８に供給し、分離された清澄水１６を循環水９として循環水槽３に返送する第２循環水経路２０を有する。このように、第２循環水経路２０における循環水９の処理は、第１循環水経路１０とは独立して行われることから湿式塗装ブース２へ清澄水１６を返送することによる循環水９の浄化は連続的に行われる。
【００２０】
第１循環水経路１０では、湿式塗装ブース２での塗装により生じた未塗装塗料が、循環水９に捕集されて図１中の矢印に沿って流れ、循環水９と共に処理水収容管路４を介して循環水槽３に返送される。また、循環水槽３内の循環水９は、循環ポンプ６により循環水供給管路７を介して湿式塗装ブース２に供給される。この第１循環水経路１０は、循環水９に不粘着化処理剤と分散処理剤とを添加し、不粘着化された循環水９に含まれる未塗着塗料を分散させる第１循環水処理剤供給手段１１を有する。すなわち、第１循環水処理剤供給手段１１は、不粘着化処理剤供給タンク５から循環水槽３に不粘着化処理剤が添加される手段、及び分散処理剤供給タンク１２から循環水槽３に分散処理剤が添加される手段から構成される。
【００２１】
この不粘着化処理剤は、本実施形態ではメラミンホルムアルデヒド縮合物であるが、これに限らず直鎖型カチオン性ポリアミン、亜鉛酸ナトリウム、アルミナゾル、タンニン系化合物などであっても良い。また、分散処理剤は、本実施形態ではベントナイト系鉱物であるが、これに限らずポリアクリル酸エステル系分散剤、コロイダルシリカ、アルミナゾルなどであっても良い。
【００２２】
このように、循環水９に対して不粘着化処理剤に加えて分散処理剤を添加して不粘着化した未塗着塗料を循環水９中に分散させて塗料成分を水に馴染ませることで、第１循環水経路１０及び第２循環水経路２０において循環水９を効率的に供給及び返送することができる。
【００２３】
第２循環水経路２０では、循環水９が循環水槽３から塗装循環水処理装置８に第２循環ポンプ１３により供給される。そして、分離された清澄水１６が循環水９として循環水槽３に第３循環ポンプ１４により返送されて浄化される。この第２循環水経路２０では、循環水９に粉末凝集処理剤と液体高分子凝集剤とを共に添加して塗料スラッジ２６を形成させる第２循環水処理剤供給手段１５と、第２循環水処理剤供給手段１５により塗料スラッジ２６が形成された循環水９をスクリーンフィルタ２３により清澄水１６と塗料スラッジ２６とに分離させる循環水分離手段１７とを有する。
【００２４】
図２に、塗装循環水処理装置８の構成を示す。循環水槽３から第２循環水供給管路２９を通じて塗装循環水処理装置８に供給された循環水９は、まず循環水収納室１８に収納される。循環水９は次に撹拌室１９ａに移動し、粉末凝集処理剤供給タンク２１から添加される粉末凝集処理剤と撹拌器２４ａにより撹拌される。さらに、循環水９は撹拌室１９ｂに移動し、液体高分子凝集剤供給タンク２２から添加される液体高分子凝集剤と撹拌器２４ｂにより撹拌される。このように、塗装循環水処理装置８において粉末凝集処理剤と液体高分子凝集剤とは、それぞれ撹拌器２４ａ，２４ｂにより撹拌されている循環水９に添加される。
【００２５】
この粉末凝集処理剤には、例えば、珪藻土含有処理剤、硫酸アルミニウム含有処理剤、硫酸カルシウム含有処理剤、アルギン酸含有処理剤、炭酸カルシウム含有処理剤が用いられるが、これらに限らない。また、液体凝集剤には、例えば、ポリアクリル系凝集剤、ポリアクリル酸エステル系凝集剤、ポリメタクリル酸エステル系凝集剤などが用いられるが、これらに限らない。
【００２６】
このように、循環水９は、粉末凝集処理剤及び液体凝集剤を添加されて撹拌される。これにより循環水９内に溶解している塗料成分が凝集され、粗大化された塗料スラッジ２６となる。この塗料スラッジ２６を含む循環水９は分離室２５に移動し、スクリーンフィルタ２３により塗料スラッジ２６と清澄水１６に分離される。このように２種類の凝集剤である粉末凝集処理剤及び液体凝集剤を塗料スラッジ２６を含む循環水９添加させることで効率的に塗料の塗料スラッジ２６を形成させることができる。
【００２７】
このスクリーンフィルタ２３としては、４０ｍｍ〜３００ｍｍメッシュの目開きのものを用いて、清澄水１６は自然落下により清澄水返送管路２８へと回収される。また、塗装循環水処理装置８のスクリーンフィルタ２３により分離された塗料スラッジ２６は塗料スラッジバケット２７により回収される。このスクリーンフィルタ２３は、清澄水１６と塗料スラッジ２６との分離を促進するために振動源（図示せず）により振動を与えても良い。また、スクリーンフィルタ２３は、そのフィルタ面を高圧水で洗浄処理し、目詰まりした塗料スラッジ２６を除去して使用することができる。
【符号の説明】
【００２８】
１  塗装ブース循環水連続浄化装置、２，３２  湿式塗装ブース、３，３３  循環水槽、４，３４  処理水収容管路、５，３５  不粘着化処理剤供給タンク、６，３６  循環ポンプ、７，３７  循環水供給管路、８  塗装循環水処理装置、９，３９  循環水、１０  第１循環水経路、１１  第１循環水処理剤供給手段、１２  分散処理剤供給タンク、１３  第２循環ポンプ、１４  第３循環ポンプ、１５  第２循環水処理剤供給手段、１６  清澄水、１７  循環水分離手段、１８  循環水収納室、１９ａ，１９ｂ  撹拌室、２０  第２循環水経路、２１  粉末凝集処理剤供給タンク、２２  液体高分子凝集剤供給タンク、２３  スクリーンフィルタ、２４ａ，２４ｂ  撹拌器、２５  分離室、２６，３８  塗料スラッジ、２７  塗料スラッジバケット、２８  清澄水返送管路、２９  第２循環水供給管路、３０  塗装ブース循環水浄化装置。
【図１】
2011218257.tif 000003
【図２】
2011218257.tif 000004
【図３】
2011218257.tif 000005